(57)【要約】【課題】  既設の地絡保護回路に容易に接続できる携帯可能な可搬型地絡順序遮断装置を提供する。【解決手段】  地絡電圧Ｖ０の発生に基づき送電系統の事故発生を検出する第１の事故検出回路１０と、送電系統のＮＧＲ１１０を流れるＮＧＲ電流に基づき送電系統の事故発生を検出する第２の事故検出回路２０と、第１の事故検出回路１０と第２の事故検出回路２０の少なくともいずれかの回路からの信号に基づき送電系統の複数の遮断器１３１〜１３４を遮断動作させるためのＢＧＦ起動回路３０と、ＢＧＦ起動回路３０からの指令に基づき複数の遮断器１３１〜１３４を時間差をおいて順に遮断動作させるためのトリップ出力回路４０と、第１の事故検出回路１０と、第２の事故検出回路２０と、ＢＧＦ起動回路３０と、トリップ出力回路４０とが組み込まれる携帯可能な可搬ケース２と、を備え、ＢＧＦ起動回路３０には、第１の事故検出回路１０からの信号と第２の事故検出回路２０からの信号のＢＧＦ起動回路３０への入力を選択するロックスイッチ７、８が接続されている。【選択図】  図１
2011142762.tif 000002
【特許請求の範囲】
【請求項１】
地絡電圧の発生に基づき送電系統の事故発生を検出する第１の事故検出回路と、
前記送電系統のＮＧＲを流れるＮＧＲ電流に基づき前記送電系統の事故発生を検出する第２の事故検出回路と、
前記第１の事故検出回路と前記第２の事故検出回路の少なくともいずれかの回路からの信号に基づき前記送電系統の複数の遮断器を遮断動作させるためのＢＧＦ起動回路と、
前記ＢＧＦ起動回路からの指令に基づき前記複数の遮断器を時間差をおいて順に遮断動作させるためのトリップ出力回路と、
前記第１の事故検出回路と、前記第２の事故検出回路と、前記ＢＧＦ起動回路と、前記トリップ出力回路とが組み込まれる携帯可能な可搬ケースと、
を備え、
前記ＢＧＦ起動回路には、前記第１の事故検出回路からの信号と前記第２の事故検出回路からの信号の前記ＢＧＦ起動回路への入力を選択するロックスイッチが接続されていることを特徴とする可搬型地絡順序遮断装置。
【請求項２】
前記可搬ケースは、複数に分割されていることを特徴とする請求項１に記載の可搬型地絡順序遮断装置。
【発明の詳細な説明】
【技術分野】
【０００１】
この発明は、送電系統における地絡事故を検出して複数の遮断器を順に遮断動作させるための可搬型地絡順序遮断装置に関する。
【背景技術】
【０００２】
従来において、連系変電所の二次側（６６ＫＶ回路等）母線の地絡保護は、事故で発生する地絡電圧Ｖ０またはＮＧＲ（中性点接地抵抗器）の地絡電流Ｉ０を入力として働くように、ＢＧＦ装置（地絡順序遮断装置）を使用した遮断器の順序遮断による保護を行っている。地絡保護に関連する技術として、電力系統の母線や母線に接続された回線での地絡発生時に、停電範囲を小さくし、必要な箇所のみを迅速に遮断できるようにした装置および方法が知られている（例えば、特許文献１参照。）。
【先行技術文献】
【特許文献】
【０００３】
【特許文献１】特開２００９−１２４８３０号公報
【発明の概要】
【発明が解決しようとする課題】
【０００４】
しかし、ＮＧＲの点検時においては、地絡電流が流れないので地絡電圧Ｖ０が整定値以上になった地絡過電圧（ＯＶＧ）を検出してＢＧＦ装置が動作するように整定値を変更して線路保護しているが、ＮＧＲの点検時やＢＧＦ装置の点検や取替時においては、ＢＧＦ装置が動作しないため連系変圧器やバックアップとしての線路のＢＧＦ装置による自動遮断ができなくなり、遮断器の操作は運転員による地絡電圧Ｖ０を監視することによる手切り対応となっている。手切りでの対応では、線路を継続して監視する必要があることから運転員は監視場所を離れることができず、監視時間が長くなると精神的負担が過大となるという問題がある。
【０００５】
また、通常、ＢＧＦ装置から地絡電圧Ｖ０の発生（ＯＶＧ動作）を検出して、外部警報、表示出力しているが、ＢＧＦ装置が使用できない場合は、警報、表示が出力されないため、地絡過電圧計を常に注視している必要があり、運転員は多大な負担を強いられる。さらに、ＮＧＲの仕様が短時間定格（１５秒または３０秒）であるため、地絡事故が継続して手切りまでに多くの時間を要した場合は、地絡電流によるＮＧＲ機器の損傷が懸念される。
【０００６】
従来では、ＢＧＦ装置は固定式であったため、ＮＧＲの点検時やＢＧＦ装置の点検や取替時においては、これに代わる母線保護の代替機器がなく、地絡発生に対する対策が問題となっていた。したがって、ＮＧＲの点検時やＢＧＦ装置の点検や取替時において、既設の地絡保護回路に容易に接続できる携帯可能な地絡順序遮断装置の開発が望まれる。
【０００７】
そこでこの発明は、既設の地絡保護回路に容易に接続できる携帯可能な可搬型地絡順序遮断装置を提供することを目的とする。
【課題を解決するための手段】
【０００８】
上記目的を達成するために請求項１に記載の発明は、地絡電圧の発生に基づき送電系統の事故発生を検出する第１の事故検出回路と、前記送電系統のＮＧＲを流れるＮＧＲ電流に基づき前記送電系統の事故発生を検出する第２の事故検出回路と、前記第１の事故検出回路と前記第２の事故検出回路の少なくともいずれかの回路からの信号に基づき前記送電系統の複数の遮断器を遮断動作させるためのＢＧＦ起動回路と、前記ＢＧＦ起動回路からの指令に基づき前記複数の遮断器を時間差をおいて順に遮断動作させるためのトリップ出力回路と、前記第１の事故検出回路と、前記第２の事故検出回路と、前記ＢＧＦ起動回路と、前記トリップ出力回路とが組み込まれる携帯可能な可搬ケースと、を備え、前記ＢＧＦ起動回路には、前記第１の事故検出回路からの信号と前記第２の事故検出回路からの信号の前記ＢＧＦ起動回路への入力を選択するロックスイッチが接続されていることを特徴とする可搬型地絡順序遮断装置である。
【０００９】
この発明によれば、第１の事故検出回路と第２の事故検出回路の少なくともいずれかの回路からの信号に基づきＢＧＦ起動回路が作動し、これに基づきトリップ出力回路が作動して送電系統の複数の遮断器を、時間差をおいて順に遮断動作する。
【００１０】
請求項２に記載の発明は、請求項１に記載の可搬型地絡順序遮断装置において、前記可搬ケースは、複数に分割されていることを特徴としている。
【発明の効果】
【００１１】
請求項１に記載の発明によれば、地絡順序遮断に必要な各回路を携帯可能な可搬ケースに組み込むようにしたので、ＮＧＲの点検時やＢＧＦ装置の点検時または取替え時に可搬ケースを必要な場所に持ち込むことができ、可搬ケース内の各回路を現場の既設の地絡保護回路と接続することが可能となる。これにより、点検作業時などでも地絡保護が可能となり、従来のように運転員が継続して線路を監視する必要がなく、運転員を精神的負担から開放することができる。
【００１２】
また、ロックスイッチを設けたことにより、地絡電流が流れないＮＧＲの点検時には、地絡過電圧の検出のみで地絡保護に対応することができ、地絡過電圧検出が不可の時でも、地絡電流の検出のみで地絡保護に対応することができる。したがって、点検作業時や機器の取替え時には、地絡電流と地絡過電圧の双方を検出しなくとも、地絡事故に対応することができ、地絡保護の信頼性を高めることができる。このように、可搬型地絡順序遮断装置は、地絡過電圧または地絡電流のいずれの検出にも独立して対応できるので、利用価値が高くなり、広範囲での活用が可能となる。
【００１３】
さらに、ＢＧＦ装置の点検時や機器の交換時には、運転員に代わって遮断器を自動で動作させることができるので、地絡電流が長い時間にわたりＮＧＲを流れることはなく、地絡電流によるＮＧＲの損傷を防止することができる。
【００１４】
請求項２に記載の発明によれば、可搬ケースを複数に分割するようにしたので、一個当たりの可搬ケースの大きさと重量を軽減することができ、必要な場所への可搬ケースの移動が容易となる。
【図面の簡単な説明】
【００１５】
【図１】本発明の実施の形態に係わる可搬型地絡順序遮断装置の概要を示すブロック図である。
【図２】図１の可搬型地絡順序遮断装置における第１のケースの外観を示す斜視図である。
【図３】図１の可搬型地絡順序遮断装置における第２のケースの外観を示す斜視図である。
【図４】図１の可搬型地絡順序遮断装置が適用される送電系統の概要図である。
【図５】図１の可搬型地絡順序遮断装置の電気回路図である。
【図６】図１の可搬型地絡順序遮断装置の電気回路図であって図５に続く電気回路図である。
【図７】図１の可搬型地絡順序遮断装置の動作手順を示すフローチャートである。
【発明を実施するための形態】
【００１６】
つぎに、この発明の実施の形態について図面を用いて詳しく説明する。
【００１７】
図１ないし図７は、この発明の実施の形態を示している。図２および図３は、可搬型地絡順序遮断装置１における可搬ケース２の外形を示している。可搬ケース２は、第１のケース２ａと第２のケース２ｂとに分割されている。第１のケース２ａおよび第２のケース２ｂは、軽量で高強度を有するジュラルミンケースから構成されており、アタッシュケース程度の大きさを有している。第１のケース２ａは、移動用の取手２ａ１を有しており、下面および裏面には保護用のゴムブッシュ２ａ２が設けられている。同様に、第２のケース２ｂも移動用の取手２ｂ１を有しており、下面および裏面には保護用のゴムブッシュ２ｂ２が設けられている。
【００１８】
図１に示すように、可搬ケース２には、第１の事故検出回路１０と、第２の事故検出回路２０と、ＢＧＦ起動回路３０と、トリップ出力回路４０が組み込まれている。このうち、第１のケース２ａには、第１の事故検出回路１０と、第２の事故検出回路２０の一部と、ＢＧＦ起動回路３０と、トリップ出力回路４０が組み込まれている。第２のケース２ｂには、第２の事故検出回路２０の一部が組み込まれている。
【００１９】
図５および図６は、可搬型地絡順序遮断装置１の電気配線図を示している。図５に示すように、可搬型地絡順序遮断装置１は、電源回路５を有している。電源回路５は、ＤＣ１００Ｖが入力される端子５ａ１、５ａ２を有している。端子５ａ１、５ａ２は、例えば変電所の直流電源に接続可能となっている。端子５ａ１、５ａ２には、電源スイッチ５ｂが接続されている。
【００２０】
電源スイッチ５ｂには、ヒューズ５ｃ１、５ｃ２を介して整流用のダイオードブリッジ５ｄが接続されている。ダイオードブリッジ５ｄは、直流電源の極性の間違いを防止するために設けられている。ダイオードブリッジ５ｄの出力側には、制御線Ｅ１、Ｅ２、Ｅ３、Ｅ４が接続されている。制御線Ｅ２には、ヒューズ５ｆが設けられている。第１の事故検出回路１０は、リレー１１、１２を有している。リレー１１、１２は、第１のケース２ａ内に収納されており、第１のケース２ａの表面側に設けられた入力端子１３ａ、１３ｂと接続されている。入力端子１３ａ、１３ｂは、現場の配電盤に装着されたＰＴ用テストプラグ１００と接続可能となっている。すなわち、入力端子１３ａ、１３ｂには、ＰＴ用テストプラグ１００を介して地絡電圧Ｖ０に対応する信号が入力可能となっている。
【００２１】
第２の事故検出回路２０は、リレー２１、２２を有している。リレー２１は、第２のケース２ｂ内に収納されている。第２のケース２ｂの表面側には、現場に配置されたＮＧＲ１１０からの地絡電流信号が入力可能な入力端子２５ａ、２５ｂが設けられている。入力端子２５ａ、２５ｂは、現場の配電盤に装着されたＣＴ用テストプラグ１１１と接続可能となっている。リレー２１は、入力端子２５ａ、２５ｂからの地絡電流信号に基づき動作するようになっている。リレー２２は、第１のケース２ａ側に組み込まれている。リレー２２は、リレー２１の動作に伴う接点２１ａのオン動作によって作動するようになっている。第１のケース２ａの側面側コネクタ２ａ３には、第２のケース２ｂ内のリレー２１を動作させるための電力を供給する端子２３ａ、２３ｂと、第２のケース２ｂの接点２１ａと接続するための端子２６ａ、２６ｂが設けられている。
【００２２】
制御線Ｅ２と制御線Ｅ４との間には、第１のロックスイッチ７と第２のロックスイッチ８が設けられている。第１のロックスイッチ７には、ロック状態を表示するパイロットランプ７ａが接続されている。第２のロックスイッチ８には、ロック状態を表示するパイロットランプ８ａが接続されている。制御線Ｅ２と制御線Ｅ４との間には、リレー１１の接点１１ａと、リレー１２の接点１２ａと、リレー２２の接点２２ａが直列に接続されている。これは、第１の事故検出回路１０と第２の事故検出回路２０の双方で、地絡を検出しなければ、ＢＧＦ起動回路３０が動作しないことを意味している。すなわち、ＢＧＦ起動回路３０は、後述する以外は図４に示す地絡電圧Ｖ０の発生と地絡電流Ｉ０の発生のＡＮＤ条件で動作するようになっている。
【００２３】
ＢＧＦ起動回路３０は、上述の通り地絡電圧Ｖ０の発生と地絡電流Ｉ０の発生のＡＮＤ条件で動作することが原則となっているが、回路の切替えにより、地絡電圧Ｖ０の発生と地絡電流Ｉ０の発生のいずれかの条件でも動作可能となっている。これを可能とするため、第１のロックスイッチ７と第２のロックスイッチ８がＢＧＦ起動回路３０に接続されている。第１のロックスイッチ７は、直列に接続された接点１１ａと接点１２ａに対して並列に接続されている。第２のロックスイッチ８は、接点２２ａに対して並列に接続されている。接点１１ａ、１２ａ、２２ａが直列に接続された回路には、ＢＧＦ起動回路３０の一部を構成する限時リレー３１が接続されている。限時リレー３１は、タイマー機能を有している。このように、ＢＧＦ起動回路３０には、第１の事故検出回路１０からの信号と第２の事故検出回路２０からの信号のＢＧＦ起動回路３０への入力を選択する第１のロックスイッチ７と第２のロックスイッチ８が接続されている。
【００２４】
ＢＧＦ起動回路３０は、限時リレー３１、リレー３２、リレー３３、ブザー３４、パイロットランプ３５を有している。このうち、リレー３３を除くリレー３１、リレー３２、ブザー３４、パイロットランプ３５は、上述の接点１１ａ、１２ａ、２２ａが直列に接続された回路に対して並列に接続されている。リレー３３は、リレー３２の接点３２ａと、第１の事故検出回路１０および第２の事故検出回路２０の接点２２ｂ、１１ｂ、１２ｂを介して接続されている。
【００２５】
制御線Ｅ２と制御線Ｅ４との間には、ＢＧＦ起動回路３０の接点３２ａを介してトリップ出力回路４０の一部を構成するタイマー４１が接続されている。接点３２ａとタイマー４１との間に位置する制御線Ｅ３と制御線Ｅ４との間には、タイマー４１と並列に複数のタイマーと複数のトリップ用リレーが接続されている。このうち、タイマー４１、４３、４５、４７、４９、５１は、電力系統の遮断器を、時間差をおいて順序よく遮断させるためのものであり、各タイマー毎に所定の動作時間が設定されている。また、トリップ用リレー４２、４４、４６、４８、５０、５２は、それぞれ隣接するタイマー４１、４３、４５、４７、４９、５１によって動作するようになっている。例えば、トリップ用リレー４２の回路には、タイマー４１の接点が設けられており、タイマー４１の設定時間に基づきトリップ用リレー４２が動作するようになっている。各タイマー４１、４３、４５、４７、４９、５１は、トリップ時限の整定変更の再現が可能なデジタルタイマーが用いられている。
【００２６】
図６に示すように、制御線Ｅ１と制御線Ｅ４との間には、トリップ用リレーの接点４２ａ、４４ａ、４６ａ、４８ａ、５０ａ、５２ａによって点灯するパイロットランプ５３〜５８が接続されている。また、第１のケース２ａの表面側には、トリップ用リレーの接点４２ａ、４４ａ、４６ａ、４８ａ、５０ａ、５２ａと接続される複数のトリップ出力端子５９が設けられている。例えば、トリップ用リレーの接点４２ａと接続されるトリップ出力端子５９は、電力系統のＡ線に設けられている遮断器１３１のトリップコイル１３１ａと接続可能となっている。また、トリップ用リレーの接点４４ａと接続されるトリップ出力端子５９は、電力系統のＢ線に設けられている遮断器１３２のトリップコイル１３２ａと接続可能となっている。
【００２７】
第１のケース２ａの表面側には、出力確認用共通端子２３ｃが設けられている。出力確認用共通端子２３ｃは、可搬型地絡順序遮断装置１が正常に機能するか否かを確認するために、トリップ出力端子５９との間で電圧を測定するために用いられる。
【００２８】
図２および図３に示すように、第１の事故検出回路１０と、第２の事故検出回路２０と、ＢＧＦ起動回路３０と、トリップ出力回路４０を構成する電気部品の一部は、第１のケース２ａまたは第２のケース２ｂの表面側に露出しており、第１のケース２ａまたは第２のケース２ｂの表面側で時間設定や動作確認が可能となっている。第１のケース２ａと第２のケース２ｂは、ケーブル２４を介して電気的に接続可能となっている。第１のケース２ａの側面には、ケーブル２４を接続するためのコネクタ２ａ３が設けられている。第２のケース２ｂの側面には、ケーブル２４を接続するためのコネクタ２ｂ３が設けられている。
【００２９】
つぎに、可搬型地絡順序遮断装置１の操作および作用について説明する。
【００３０】
可搬型地絡順序遮断装置１は、通常は配電盤室の継電器盤の近傍に設置されている。この場合では、可搬型地絡順序遮断装置１は、地絡電流Ｉ０と地絡過電圧の双方を検出することにより、ＢＧＦ起動回路３０を動作させるように設定されている。そして、ＮＧＲ１１０の点検時などにおいては、可搬型地絡順序遮断装置１は所定の場所に運ばれ、可搬ケース２内に収納されている回路を既設の地絡保護回路と接続することで使用される。
【００３１】
図７は、可搬型地絡順序遮断装置１の動作の手順を示している。ステップＳ１においては、第１の事故検出回路１０と接続されるＶＯ検出回路が使用不可時か否かが判断される。ここで、ＯＶＧ検出回路が使用できる判断された場合は、ステップＳ２に進む。ステップＳ２では、第２の事故検出回路２０と接続される５１Ｎ検出回路の使用不可時か否かが判断され、ステップＳ２で５１Ｎ検出回路の使用不可時でないと判断された場合は、ステップＳ５に進み、地絡事故を検出しているか否か判断される。ステップＳ５において、地絡事故の発生を検出している場合は、ステップＳ６に進み、ＢＧＦ起動回路３０を動作させ、ステップＳ７においてトリップ出力回路４０を動作させる。これにより、ステップＳ８で各遮断器１３１〜１３４を順に遮断動作させることが可能となる。
【００３２】
ステップＳ１において、第１の事故検出回路１０と接続されるＶＯ検出回路が使用不可と判断された場合は、ステップＳ３に進み、第１のロックスイッチ７をオン状態とし、第１の事故検出回路１０とＢＧＦ起動回路３０とを電気的に切り離す。ステップＳ２において、第２の事故検出回路２０と接続される５１Ｎ検出回路が使用不可と判断された場合は、ステップＳ４に進み、第２のロックスイッチ８をオン状態とし、第２の事故検出回路２０とＢＧＦ起動回路３０とを電気的に切り離す。このように、ロックスイッチ７、８を設けたことにより、地絡電流Ｉ０が流れないＮＧＲ１１０の点検時には、地絡過電圧ＯＶＧの検出のみで地絡保護に対応することができ、地絡過電圧検出が不可の時でも、地絡電流Ｉ０の検出のみで地絡保護に対応することができる。
【００３３】
第１のロックスイッチ７と第２のロックスイッチ８は、いずれもオフ状態とするか、いずれか一方しかオン状態にできないように、３連式のスイッチで構成されている。これにより、第１のロックスイッチ７と第２のロックスイッチ８のいずれもオン状態にすることによるＢＧＦ起動回路３０の誤動作による誤遮断指令を防止することができる。
【００３４】
可搬型地絡順序遮断装置１を使用開始する場合、既設地絡保護回路へ接続前に可搬型地絡順序遮断装置１が正常に動作することの確認が必要である。そこで、可搬型地絡順序遮断装置１を使用開始する前には、第１の事故検出回路１０と第２の事故検出回路２０の入力端子に模擬入力を行い、出力信号がトリップ出力端子５９へ出力されていることを出力確認用共通端子２３ｃとの間で電圧測定を行うことにより、装置が正常に動作するか否かを確認することができる。
【００３５】
図４は、送電系統のＢｕｓ母線と接続される各遮断器１３１〜１３４が地絡電圧Ｖ０または地絡電流Ｉ０によって遮断動作する状況を示している。Ｂｕｓ母線には、トランス１２１、１２２を介して電力が供給されている。例えば、Ｂｕｓ母線に地絡電圧Ｖ０が生じた場合は、可搬型地絡順序遮断装置１の第１の事故検出回路１０により地絡を検出し、この検出信号に基づき、ＢＧＦ起動回路３０とトリップ出力回路４０が動作し、Ｂｕｓ母線に接続されたＡ線〜Ｄ線に配置された遮断器１３１〜１３４が順次遮断動作する。そして、Ｂｕｓ母線における地絡事故が復旧するまで他の遮断器の遮断動作が継続される。ここで、遮断器は接続されている負荷の重要度に応じて動作するように設定されており、重要度が低いものから優先的に順次遮断される。
【００３６】
このように、地絡順序遮断に必要な各回路１０、２０、３０、４０を携帯可能な可搬ケース２に組み込むようにしたので、ＮＧＲ１１０の点検時やＢＧＦ装置の点検時または取替え時に可搬ケース２を必要な場所に持ち込むことができ、可搬ケース２内の各回路を現場の既設の地絡保護回路と接続することが可能となる。これにより、点検作業時などでも地絡保護が可能となり、従来のように運転員が継続して線路を監視する必要がなく運転員を精神的負担から開放することができる。
【００３７】
また、ロックスイッチ７、８を設けたことにより、地絡電流Ｉ０が流れないＮＧＲ１１０の点検時には、地絡過電圧の検出のみで地絡保護に対応することができ、地絡過電圧検出が不可の時でも、地絡電流Ｉ０の検出のみで地絡保護に対応することができる。したがって、点検作業時や機器の取替え時には、地絡電流Ｉ０と地絡過電圧の双方を検出しなくとも、地絡事故に対応することができ、地絡保護の信頼性を高めることができる。このように、可搬型地絡順序遮断装置１は、地絡過電圧または地絡電流Ｉ０のいずれの検出にも独立して対応できるので、利用価値が高くなり、広範囲での活用が可能となる。
【００３８】
さらに、ＮＧＲ１１０の点検時や機器の交換時には、運転員に代わって遮断器を自動で動作させることができるので、地絡電流Ｉ０が長い時間にわたりＮＧＲ１１０を流れることはなく、地絡電流Ｉ０によるＮＧＲ１１０の損傷を防止することができる。そして、可搬ケース２を第１のケース２ａと第２のケース２ｂに分割するようにしたので、一個当たりの可搬ケース２の大きさと重量を軽減することができ、必要な場所への可搬ケース２の移動が容易となる。
【００３９】
以上、この発明の実施の形態を詳述してきたが、具体的な構成は上記の実施の形態に限られるものではなく、この発明の要旨を逸脱しない範囲の設計の変更等があっても、この発明に含まれる。例えば、可搬型地絡順序遮断装置１は、ＮＧＲ１１０の点検時やＶＯ検出回路が使用不可に使用する場合を説明したが、既設のＢＧＦ盤の故障時にも、ＢＧＦ盤の代替装置として使用することができる。また、２２ｋＶ非接地系でＮＧＲの設置されていない母線でも使用することができる。
【符号の説明】
【００４０】
１              可搬型地絡順序遮断装置
２              可搬ケース
２ａ            第１のケース
２ｂ            第２のケース
７              第１のロックスイッチ（ロックスイッチ）
８              第２のロックスイッチ（ロックスイッチ）
１０            第１の事故検出回路
２０            第２の事故検出回路
３０            ＢＧＦ起動回路
４０            トリップ出力回路
１００          ＰＴ用テストプラグ
１１０          ＮＧＲ
１３１〜１３４  遮断器
Ｉ０            地絡電流
Ｖ０            地絡電圧
【図１】
2011142762.tif 000003
【図２】
2011142762.tif 000004
【図３】
2011142762.tif 000005
【図４】
2011142762.tif 000006
【図５】
2011142762.tif 000007
【図６】
2011142762.tif 000008
【図７】
2011142762.tif 000009